【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
遊技領域を流下する遊技球を、一時的に受け入れ可能な球受入部を有した球誘導部材と、
前記球受入部が、始点位置と終点位置との間を移動可能となるように、前記球誘導部材を回転可能に軸支する軸部とを備え、
前記球受入部が前記始点位置で遊技球を受け入れると、前記球誘導部材が回転し、前記終点位置に移動して前記球受入部から遊技球が排出されるようにした弾球遊技機において、
前記遊技球が前記球誘導部材に乗って前記始点位置から前記終点位置に移動する流下態様を視認可能に構成すると共に、前記球受入部に遊技球を受け入れた場合に、遊技球を受け入れた時点での前記球誘導部材とその遊技球とを合わせた全体の重量の重心を、前記軸部の軸線に直交する水平線より下側でかつ前記軸部の軸線に直交する鉛直線に対し、前記球受入部が移動して向かう側に配置することで、前記球誘導部材が前記全体の重量に基づく回転モーメントにより角加速度を得て回転し、
前記球誘導部材が回転し始めるときの前記球誘導部材の角加速度を、７０〜１５０［ｒａｄ／ｓ２］に設定しかつ、前記球受入部が前記始点位置から前記終点位置に移動するに従って、前記球誘導部材の角加速度を減少させたことを特徴とする弾球遊技機。
【手続補正２】
【補正対象書類名】明細書
【補正対象項目名】０００５
【補正方法】変更
【補正の内容】
【０００５】
【課題を解決するための手段】
上記目的を達成するためなされた請求項１の発明に係る弾球遊技機は、遊技領域を流下する遊技球を、一時的に受け入れ可能な球受入部を有した球誘導部材と、球受入部が、始点位置と終点位置との間を移動可能となるように、球誘導部材を回転可能に軸支する軸部とを備え、球受入部が始点位置で遊技球を受け入れると、球誘導部材が回転し、終点位置に移動して球受入部から遊技球が排出されるようにした弾球遊技機において、遊技球が球誘導部材に乗って始点位置から終点位置に移動する流下態様を視認可能に構成すると共に、球受入部に遊技球を受け入れた場合に、遊技球を受け入れた時点での球誘導部材とその遊技球とを合わせた全体の重量の重心を、軸部の軸線に直交する水平線より下側でかつ軸部の軸線に直交する鉛直線に対し、球受入部が移動して向かう側に配置することで、球誘導部材が全体の重量に基づく回転モーメントにより角加速度を得て回転し、球誘導部材が回転し始めるときの球誘導部材の角加速度を、７０〜１５０［ｒａｄ／ｓ２］に設定しかつ、球受入部が始点位置から終点位置に移動するに従って、球誘導部材の角加速度を減少させたところに特徴を有する。
【手続補正３】
【補正対象書類名】明細書
【補正対象項目名】０００６
【補正方法】変更
【補正の内容】
【０００６】
なお、「鉛直線に対し、球受け入れ部が移動して向かう側」とは、所定の視点から見て球誘導部材が左回転する場合には、「鉛直線に対する左側」に相当し、球誘導部材が右回転する場合には、「鉛直線に対する右側」に相当する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
【発明の作用及び効果】
請求項１の発明によれば、始点位置で遊技球を球受入部に受け入れた時点において、遊技球と球誘導部材とを合わせた全体の重量の重心の位置を、軸部の軸線に直交する水平線より下側でかつ鉛直線に対し、球受入部が移動して向かう側に配置したので、球受入部が始点位置から終点位置に移動するに従って、前記全体の重量の重心が、鉛直線に向かって移動し（最終的に、鉛直線を通過してもよい）、球誘導部材を回転させるための回転モーメントが減少する。すると、その回転モーメントに基づく球誘導部材の角加速度が減少し、球受入部に受け入れられた遊技球の落下加速度が減少する。このように、落下加速度が徐々に減少しながら遊技球が流下する態様は、遊技球が一定加速度で自由落下する態様や、強制駆動されて角加速度が０で回転する役物の態様と異なり、遊技者に新鮮な感覚を与えて、趣向性の向上を図ることができる。また、球受入部が始点位置から終点位置に移動し始めるときの球誘導部材の角加速度が、７０〜１５０［ｒａｄ／ｓ２］に設定したことで、角加速度が小さ過ぎず、かつ、大き過ぎない状態となり、球誘導部材の動作に重厚感を持たせることができ、好適な流下態様を視認することができる。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００７２
【補正方法】変更
【補正の内容】
【００７２】
このように、本実施形態のパチンコ遊技機によれば、遊技球が、球誘導部材８０の球受入部８１に保持されて誘導されかつ一定方向に排出されることで、その遊技球の流下方向がある程度限定されるので、遊技球が球受入部８１に入らずにランダムな方向に流下する場合とは異なる流下態様が加わり、遊技球の流下態様にバリエーションを増やすことができる。しかも、このとき、遊技球は、加速度を減少させながら落下案内されるので、遊技球が一定加速度で自由落下する態様や強制駆動されて角加速度が０で回転する役物による流下態様と異なり、遊技者に新鮮な感覚を与えて、趣向性の向上を図ることができる。また、球誘導部材８０は、遊技盤１１に対して垂直面内で回転し、このような動作をする役物は、従来の弾球遊技機には無かったので、斬新な遊技演出を提供することができる。さらに、本実施形態では、遊技球を第１球遊転路７０で様々に遊転させた後に再度流下させて球受入部８１に入るようにしたから、第１球遊転路７０から球受入部８１を介して流下するまでの遊技球の動きが複雑になり、遊技演出の趣向性を高めることができる。
ここで、上述した本実施形態のパチンコ遊技機には、以下の（１）〜（７）に記載の構成が含まれている。
（１）「球受入部が空状態の球誘導部材は、軸部の軸線を中心とした球誘導部材の重量配置に基づき発生する一方向の回転モーメントにより、球受入部が前記始点位置に保持される一方、球受入部に遊技球を受け入れた場合には、球誘導部材は、軸部の軸線を中心とした球誘導部材と遊技球とを合わせた全体の重量配置に基づき発生する他方向の回転モーメントにより回転される。」この構成によれば、軸部の軸線を中心とした球誘導部材の重量配置に基づく回転モーメントは、一方向を向き、この回転モーメントにより球誘導部材の球受入部が始動位置に保持される。一方、球受入部に遊技球が受け入れられると、軸部の軸線を中心とした球誘導部材と遊技球とを合わせた全体の重量配置に基づく回転モーメントが、他方向を向き、球誘導部材が回転する。そして、球誘導部材の回転により球受入部が終点位置に移動すると遊技球が排出され、その後、一方向の回転モーメントにより球受入部が始動位置に戻る。このように、本発明によれば、あたかも獅子おどしのような動作を表すことができ、趣向性の向上が図られる。
（２）「球誘導部材には、一方向の回転モーメントを発生させるための重り部を備え、重り部は、軸部の軸線方向に平行な軸体で構成されている。」この構成によれば、軸体の長さを変更することで、球誘導部材の回転軸から重り部の軸芯までの距離を変えずに、重り部の重量のみを変更することができる。これにより、重り部の仕様の変更を容易に行うことができる。
（３）「球誘導部材には、重り部を前記重り部の軸線方向と直交した方向から挿入可能な１対の挟持壁が設けられている。」この構成によれば、軸線方向に一端より挿入して組み付けられる場合に比べて、組み付け作業が容易になる。
（４）「遊技球が前面を転動可能な遊技盤を備え、球誘導部材を遊技盤に配した弾球遊技機において、軸部の軸線を、水平かつ遊技盤面に対して平行に向けることで、球誘導部材が、遊技盤面に対して垂直面内で回転し、球受入部が、始点位置及び終点位置の間で上下移動するように構成されている。」この構成によれば、球誘導部材が、従来の弾球遊技機に備えられた役物には無かった動作をするので、斬新な遊技演出を提供することができ、趣向性を高めることができる。
（５）「遊技領域には、流下する遊技球を受けて、様々に遊転させた後に、再度流下させる球遊転部が設けられ、球受入部は、球遊転部から流下した遊技球を受け入れ可能な位置に配置されている。」この構成によれば、球遊転部から球受入部を介して流下するまでの遊技球の動きが複雑になり、遊技演出の趣向性を高めることができる。
（６）「遊技領域のうち球受入部の略真下には、遊技球を受け入れ可能な入球口が設けられ、球受入部は、始点位置から終点位置へ移動することで、入球口に向かうように構成されている。」この構成によれば、球受入部に入った遊技球が、球受入部の移動により誘導されて入球口に入る動作が起こり得る。従って、遊技球の動きが複雑になり、遊技演出の趣向性を高めることができる。
（７）「球受入部を介さずに球遊転部から流下した遊技球より、球受入部から排出されて流下した遊技球の方が、入球口に入る確率が高くなるように構成してある。」この構成によれば、球受入部に遊技球が入った場合には、入球口に対する入球の期待感が高まり、遊技演出の趣向性の向上が図られる。
【手続補正２３】
【補正対象書類名】明細書
【補正対象項目名】００７８
【補正方法】変更
【補正の内容】
【００７８】
（７）前記実施形態では、球誘導部材８０が、遊技盤１１に対して水平かつ平行に配置された軸部８２の軸線Ｊ１を中心にして、遊技盤１１に直交する方向で回転する構成であったが、球誘導部材が、遊技盤に対して直交する軸体を中心にして、遊技盤と平行な面内で回転する構成にしてもよい。この場合、重り部の上方に保護部材等を設けて、流下してくる次の遊技球が球誘導部材のうち重り部側に接触しないように構成することが好ましい。